【手続補正書】
【提出日】平成17年8月29日(2005.8.29)
【手続補正１】
【補正対象書類名】特許請求の範囲
【補正対象項目名】全文
【補正方法】変更
【補正の内容】
【特許請求の範囲】
【請求項１】
第１の時間間隔の間、信号の正の勾配を追跡し、かつ、第２の時間間隔の間、前記信号の負の勾配を追跡する追跡信号を供給する第１の回路と、
前記第１および第２の時間間隔のうちのいずれか一方の時間間隔の間に供給される前記追跡信号に関連する２進カウント値を生成するために構成されたカウンタを含む第２の回路とを備え、生成された前記値の１つが前記信号のピークトゥ−ピーク値を表す、
信号のピークトゥ−ピーク値を決定するための検出器。
【請求項２】
前記第２の回路は、前記第１および第２の時間間隔の他方の時間間隔の間に提供される前記追跡信号に関連する値を生成するために構成され、前記第１および第２の時間間隔のうちの他方の時間間隔の間に供給される前記追跡信号に関連する値の１つが、同じく前記信号のピークトゥ−ピーク値を表す、請求項１に記載の検出器。
【請求項３】
前記第１の回路は、
前記信号が保持されている前記ピークおよび谷における値から所定の量だけ変化するまで前記信号のピークおよび谷における値を保持する前記追跡信号を供給する追跡および保持回路と、
前記信号が前記追跡信号から前記所定の量だけ変化した後に、その状態を変化する出力信号を供給する回路とを備えた、請求項１に記載の検出器。
【請求項４】
前記カウンタは前記回路に応答して前記出力信号の状態における変化の間カウントし、前記出力信号の状態の変化の１つで生じる前記カウンタの出力信号が前記信号のピークトゥ−ピーク値を表す、請求項３に記載の検出器。
【請求項５】
前記回路は、前記所定の量を確立するヒステリシス値を有する比較器を備えた、請求項３に記載の検出器。
【請求項６】
前記回路は、前記信号が前記追跡信号から前記所定の量だけ変化すると、その状態が変化する前記出力信号を供給する比較器を備えた比較器回路を備え、前記第１の回路は、
前記比較器回路に結合され、前記出力信号の遅延バージョンである遅延信号を供給する遅延回路をさらに備える、請求項３に記載の検出器。
【請求項７】
前記遅延信号に応答してリセットされ、前記遅延信号の状態における変化の間カウントするカウンタを備え、前記遅延信号の状態変化の１つで生じる前記カウンタの出力信号が前記信号のピークトゥ−ピーク値を表す、請求項６に記載の検出器。
【請求項８】
前記出力信号と前記遅延信号の間の遅延は、前記信号のピークトゥ−ピーク値を表す値を復号化する外部論理を使用することによって選択される、請求項７に記載の検出器。
【請求項９】
感知した入力を表す変換器出力信号を供給する変換器と、
前記変換器出力信号の所与のサイクルにおける各ピークと谷の間の前記変換器出力信号に実質的に追従し、かつ、前記変換器出力信号が保持されている前記ピークおよび谷における値から所定の量だけ変化するまで前記変換器出力信号の前記ピークおよび谷における値を保持する追跡信号を供給し、前記所与のサイクルにおける第１の半サイクルおよび第２の半サイクルのうちの少なくともいずれか一方の半サイクルの間、前記変換器出力信号のピークトゥ−ピーク値を表す出力２進値を供給するべく構成されるカウンタを含む、ピークトゥ−ピーク検出器と、
前記ピークトゥ−ピーク検出器の出力値に応答し、前記感知した入力が所定の閾値レベルを超えているかどうかを表す論理信号を供給する論理と、
を備えたセンサ。
【請求項１０】
感知する入力は磁界を含み、前記変換器は磁界−電圧変換器を含む、請求項９に記載のセンサ。
【請求項１１】
前記ピークトゥ−ピーク検出器は、
前記変換器出力信号が前記追跡信号から前記所定の量だけ変化すると、状態が変化する出力信号を供給する回路を更に含む、請求項９に記載のセンサ。
【請求項１２】
前記カウンタは前記回路に応答して前記出力信号の状態における変化の間カウントし、前記出力信号の状態変化の１つで生じる前記カウンタの出力が前記変換器出力信号のピークトゥ−ピーク値を表す出力値である、請求項１１に記載のセンサ。
【請求項１３】
前記ピークトゥ−ピーク検出器は、
前記変換器出力信号が前記追跡信号から前記所定の量だけ変化すると、状態が変化する信号を供給する比較器回路と、
前記比較器回路に結合され、前記信号の遅延バージョンである遅延信号を供給する遅延と、を備え、
前記カウンタは前記遅延信号に応答してリセットされて前記遅延信号の状態における変化の間カウントし、前記遅延信号の状態変化の１つで生じる前記カウンタの出力が前記変換器出力信号のピークトゥ−ピーク値を表す出力値である、請求項９に記載のセンサ。
【請求項１４】
前記論理は、前記カウンタ出力を１つまたは複数の診断信号に変換する復号器を含む、請求項１３に記載のセンサ。
【請求項１５】
前記１つまたは複数の診断信号は、前記感知した磁界が関連する所定の閾値レベルを超えているか否かの表示を与える、請求項１４に記載のセンサ。
【請求項１６】
前記１つまたは複数の診断信号はエアギャップに対応し、前記関連する所定の閾値レベルは異なる磁界強度のガウスレベルに対応している、請求項１５に記載のセンサ。
【請求項１７】
前記変換器および前記ピークトゥ−ピーク検出器に結合され、前記変換器出力信号が所定のレベルに到達すると、第１の利得値から第２の利得値への利得値変化するために起動されるＡＧＣ回路をさらに備え、前記論理は、
前記第１の利得値に対する前記所定の閾値レベルに相当する第１のカウント値、および前記第２の利得値に対する前記所定の閾値レベルに相当する第２のカウント値を含む前記カウンタ出力を前記論理信号に変換する復号器を備える、請求項１３に記載のセンサ。
【請求項１８】
第１の時間間隔の間、信号の正の勾配を追跡し、かつ第２の時間間隔の間、前記信号の負の勾配を追跡する追跡信号を供給するステップと、
前記第１および第２の時間間隔のうちのいずれか一方の時間間隔の間カウントすることにより前記追跡信号に関連する２進カウント値を生成し、前記値の１つが前記信号のピークトゥ−ピーク値を表すステップと、
を含む、信号のピークトゥ−ピーク値を決定する方法。
【請求項１９】
前記追跡信号は、前記信号が、保持されている前記ピークおよび谷から所定の量だけ変化するまで前記信号のピークおよび谷における前記信号の値を保持し、前記方法は、
前記信号が前記追跡信号から前記所定の量だけ変化した後に、状態を変化する出力信号を供給するステップをさらに含む、請求項１８に記載の方法。
【請求項２０】
値を生成するステップは、
前記出力信号の状態が変化する間をカウントするステップを含み、前記出力信号の状態変化の１つで生じるカウンタの出力信号が前記信号のピークトゥ−ピーク値を表す、請求項１９に記載の方法。
【請求項２１】
感知した入力を表す変換器出力信号を供給するステップと、
前記変換器出力信号の所与のサイクルにおける各ピークと谷の間の前記変換器出力信号に実質的に追従し、かつ、前記変換器出力信号が、保持されている前記ピークおよび谷における値から所定の量だけ変化するまで前記変換器出力信号の前記ピークおよび谷における値を保持する追跡信号を供給するステップと、
前記所与のサイクルにおける第１の半サイクルおよび第２の半サイクルのうちの少なくともいずれか一方の半サイクルの間、前記変換器出力信号のピークトゥ−ピーク値を表す出力値を供給するステップと、
前記感知した入力が所定の閾値レベルを超えているか否かを表す論理信号を供給するステップと、
を含むセンサ方法。
【請求項２２】
第１の時間間隔の間、信号の正の勾配を追跡し、かつ、第２の時間間隔の間、前記信号の負の勾配を追跡する追跡信号を供給する第１の回路と、
前記第１および第２の時間間隔のうちのいずれか一方の時間間隔の間に供給される前記追跡信号に関連する値を生成するために構成された第２の回路とを備え、
前記第１の回路は、
前記信号が保持されている前記ピークおよび谷から所定の量だけ変化するまで前記信号のピークおよび谷における値を保持する前記追跡信号を供給する追跡および保持回路と、
前記信号が前記追跡信号から前記所定の量だけ変化した後に、その状態を変化する出力信号を供給する回路と、
前記回路に接続され、前記出力信号の遅延バージョンである遅延信号を供給する遅延回路と、を備え、
前記値のひとつは前記追跡信号のピークトゥ−ピーク値を表し、前記第２の回路は、前記遅延信号に応答してリセットして前記遅延信号の状態における変化の間カウントするカウンタを含み、前記遅延信号の状態変化の１つで生じる前記カウンタの出力が前記信号のピークトゥ−ピーク値を表し、前記出力信号と前記遅延信号間の遅延は、前記信号のピークトゥ−ピーク値を表す値の外部復号論理を使用して選択される、
信号のピークトゥ−ピーク値を決定するための検出器。